(57)【要約】【課題】この発明は、複数種類の異なる設定内容に対応する複数種類の出力イメージを比較することができ、設定内容の差がユーザに認識されやすくなる画像形成装置を提供することを目的とする。【解決手段】出力イメージをプレビュー表示させるプレビュー表示機能を備えた画像形成装置において、複数の異なる設定内容に対する出力イメージを同時に表示させるために、複数のプレビュー表示画面を表示器に表示させる手段、各プレビュー表示画面別にそれぞれ設けられておりかつそのプレビュー表示画面に対応する設定内容を変更させる設定内容変更手段、ならびに任意の設定内容変更手段によって設定内容が変更せしめられた際には、当該設定内容変更手段に対応するプレビュー表示画面に表示される出力イメージを、変更された設定内容に応じた出力イメージに変更させる手段を備えている。【選択図】図２
2008304709.tif 000002
【特許請求の範囲】
【請求項１】
出力イメージをプレビュー表示させるプレビュー表示機能を備えた画像形成装置において、
複数の異なる設定内容に対する出力イメージを同時に表示させるために、複数のプレビュー表示画面を表示器に表示させる手段、
各プレビュー表示画面別にそれぞれ設けられておりかつそのプレビュー表示画面に対応する設定内容を変更させる設定内容変更手段、ならびに
任意の設定内容変更手段によって設定内容が変更せしめられた際には、当該設定内容変更手段に対応するプレビュー表示画面に表示される出力イメージを、変更された設定内容に応じた出力イメージに変更させる手段、
を備えていることを特徴とする画像形成装置。
【請求項２】
各プレビュー表示画面別にそれぞれ設けられておりかつそのプレビュー表示画面に対応する設定内容で印刷処理を開始させるための印刷指令入力手段を備えていることを特徴とする請求項１に記載の画像形成装置。
【請求項３】
各印刷指令入力手段は、対応するプレビュー表示画面に対応して設けられた印刷ボタンであることを特徴とする請求項２に記載の画像形成装置。
【請求項４】
任意の印刷指令入力手段によって印刷処理が開始された後に、他の印刷指令入力手段のプレビュー表示画面に対応する設定内容を、当該印刷指令入力手段のプレビュー表示画面に対応する設定内容と同じ設定内容に変更させる手段を備えていることを特徴とする請求項２に記載の画像形成装置。
【発明の詳細な説明】
【技術分野】
【０００１】
この発明は、デジタル複写機等の画像形成装置に関する。
【背景技術】
【０００２】
近年のデジタル複写機は、高機能化されてきたことに伴い、様々な画像処理機能が搭載されており、そのため、印刷前に出力イメージを予測することが難しくなりつつある。しかしながら、出力イメージを確認する目的で実際に印刷を行なうと用紙が無駄になるので、印刷前に出力イメージを確認できるように、出力イメージを大型の液晶パネルに表示させる機能（プレビュー表示機能）を実現させるための技術が提案されている。
【０００３】
特開２００３−８７５６０号公報には、ステープル処理、穴明け処理等の後処理が設定された場合に、設定された後処理を施した場合の状態を示す仕上がり画像を表示させる方法が開示されている。特開２００６−２６０３４７号公報には、フォルダ等のＢＯＸ等に保存されている文書から所望の文書を選択して印刷出力させる際のプレビュー表示に関し、ユーザのページめくり操作を軽減させる方法が開示されている。
【特許文献１】特開２００３−８７５６０号公報
【特許文献２】特開２００６−２６０３４７号公報
【発明の開示】
【発明が解決しようとする課題】
【０００４】
この発明は、複数種類の異なる設定内容に対応する複数種類の出力イメージを比較することができ、設定内容の差がユーザに認識されやすくなる画像形成装置を提供することを目的とする。
【０００５】
また、この発明は、複数種類の異なる設定内容に対応する複数種類の出力イメージを比較することができるとともに、これらの複数種類の異なる設定内容から印刷に用いるべきものを容易に選択できるようになる画像形成装置を提供することを目的とする。
【課題を解決するための手段】
【０００６】
請求項１に記載の発明は、出力イメージをプレビュー表示させるプレビュー表示機能を備えた画像形成装置において、複数の異なる設定内容に対する出力イメージを同時に表示させるために、複数のプレビュー表示画面を表示器に表示させる手段、各プレビュー表示画面別にそれぞれ設けられておりかつそのプレビュー表示画面に対応する設定内容を変更させる設定内容変更手段、ならびに任意の設定内容変更手段によって設定内容が変更せしめられた際には、当該設定内容変更手段に対応するプレビュー表示画面に表示される出力イメージを、変更された設定内容に応じた出力イメージに変更させる手段を備えていることを特徴とする。
【０００７】
請求項２に記載の発明は、請求項１に記載の画像形成装置において、各プレビュー表示画面別にそれぞれ設けられておりかつそのプレビュー表示画面に対応する設定内容で印刷処理を開始させるための印刷指令入力手段を備えていることを特徴とする。
【０００８】
請求項３に記載の発明は、請求項２に記載の画像形成装置において、各印刷指令入力手段は、対応するプレビュー表示画面に対応して設けられた印刷ボタンであることを特徴とする。
【０００９】
請求項４に記載の発明は、請求項２に記載の画像形成装置において、任意の印刷指令入力手段によって印刷処理が開始された後に、他の印刷指令入力手段のプレビュー表示画面に対応する設定内容を、当該印刷指令入力手段のプレビュー表示画面に対応する設定内容と同じ設定内容に変更させる手段を備えていることを特徴とする。
【発明の効果】
【００１０】
この発明によれば、複数種類の異なる設定内容に対応する複数種類の出力イメージを比較することができ、設定内容の差がユーザに認識されやすくなる。
【００１１】
また、この発明によれば、複数種類の異なる設定内容に対応する複数種類の出力イメージを比較することができるとともに、これらの複数種類の異なる設定内容から印刷に用いるべきものを容易に選択できるようになる。
【発明を実施するための最良の形態】
【００１２】
以下、図面を参照して、本発明をデジタル複写機に適用した場合の実施例について説明する。
【実施例１】
【００１３】
図１は、デジタル複写機におけるプレビュー表示機能に関係する部分の構成を示している。
【００１４】
デジタル複写機は、ＣＰＵ１、ＲＯＭ２、ＲＡＭ３、メッセージＲＯＭ４、ＶＲＡＭ５、画像保存用メモリ６、ＬＣＤコントローラ７、タッチパネル付きのＬＣＤ８等を備えている。
【００１５】
ＣＰＵ１はデジタル複写機全体を制御する。ＲＯＭ２には、ＣＰＵ１のプログラム等が記憶される。ＲＡＭ３は、作業用メモリとして用いられる。メッセージＲＯＭ４には、ＬＣＤ８に表示されるメッセージ等が記憶されている。ＶＲＡＭ５には、ＬＣＤ８に表示される画像が展開される。ＬＣＤコントローラ７は、タッチパネル付きのＬＣＤ８を制御する。画像保存用メモリ６には、図示しない原稿読取部によって読み取られた原稿画像が一時的に保存される。
【００１６】
このデジタル複写機は、２種類の異なる設定内容に対する出力イメージをプレビュー表示させる機能を備えている。
【００１７】
図２は、ＬＣＤ８に表示されるプレビュー表示画面を示している。
【００１８】
プレビュー表示画面は、第１のプレビュー表示画面１００と、第２のプレビュー表示画面２００とを備えている。
【００１９】
第１のプレビュー表示画面１００には、プレビュー画像表示部１１０と、プレビュー画像表示部１１０の右側に表示された３種類の表示ページ変更用ボタン１１１〜１１３と、プレビュー画像表示部１１０の下側に表示された複数の設定内容変更用ボタン１２１、１２２と、設定内容変更用ボタン１２１、１２２の下側に表示されかつその他の設定を変更するための設定画面を表示させるための設定ボタン１３１と、設定内容変更用ボタン１２１、１２２の下側に表示されかつ印刷指令を入力するための印刷ボタン（以下、第１印刷ボタンという）１４１が設けられている。
【００２０】
第２のプレビュー表示画面２００にも、同様に、プレビュー画像表示部２１０と、プレビュー画像表示部２１０の右側に表示された３種類の表示ページ変更用ボタン２１１〜２１３と、プレビュー画像表示部２１０の下側に表示された複数の設定内容変更用ボタン２２１、２２２と、設定内容変更用ボタン２２１、２２２の下側に表示されかつその他の設定を変更するための設定画面を表示するための設定ボタン２３１と、設定内容変更用ボタン２２１、２２２の下側に表示されかつ印刷指令を入力するための印刷ボタン（以下、第２印刷ボタンという）２４１が設けられている。
【００２１】
この例では、設定内容変更用ボタン１２１、２２１は、ステープルを行なうか否かおよびステープルを行なう場合のステープル数を設定するためのボタンである。設定内容変更用ボタン１２２、２２２はパンチを行なうか否かの設定を行なうためのボタンである。また、設定ボタン１３１、２３１が押下げられると、その他の設定を変更するための設定画面が表示される。ユーザは、その設定画面上で、その他の設定を変更することができる。      
【００２２】
表示ページ変更用ボタン１１１、２１１は、プレビュー表示させたいページをページ数で指定させるためのボタン（ページ数指定ボタン）である。ページ数指定ボタン１１１、２１１が押下げられると、ページ数入力画面が表示される。ユーザがページ数入力画面にページ数を入力すると、入力したページがプレビュー表示される。表示ページ変更用ボタン１１２、２１２は、現在プレビュー表示されているページの前ページをプレビュー表示させるためのボタン（前ページボタン）である。表示ページ変更用ボタン１１３、２１３は、現在プレビュー表示されているページの次ページをプレビュー表示させるためのボタン（次ページボタン）である。
【００２３】
第１のプレビュー表示画面１００のプレビュー画像表示部１１０には、第１のプレビュー表示画面１００内の表示ページ変更用ボタン１１１〜１１３によって指定されたページに対応し、かつ第１のプレビュー表示画面１００内の設定内容変更用ボタン１２１、１２２または設定ボタン１３１の押下げによって表示される設定画面で設定された設定内容に対応した出力イメージがプレビュー表示される。第１のプレビュー表示画面１００内の設定内容変更用ボタン１２１、１２２または設定ボタン１３１の押下げによって表示される設定画面で設定された設定内容を、第１のプレビュー表示画面に対応する設定内容ということにする。第１のプレビュー表示画面に対応する設定内容は、ＲＡＭ３内に設けられた図示しない第１の設定内容保存テーブルに記憶される。第１のプレビュー表示画面１００内の第１印刷ボタン１４１が押下げられると、第１のプレビュー表示画面に対応する設定内容を用いて、印刷処理が施される。
【００２４】
第２のプレビュー表示画面２００のプレビュー画像表示部２１０には、第２のプレビュー表示画面２００内の表示ページ変更用ボタン２１１〜２１３によって指定されたページに対応し、かつ第２のプレビュー表示画面２００内の設定内容変更用ボタン２２１、２２２または設定ボタン２３１の押下げによって表示される設定画面で設定された設定内容に対応した出力イメージがプレビュー表示される。第２のプレビュー表示画面２００内の設定内容変更用ボタン２２１、２２２または設定ボタン２３１の押下げによって表示される設定画面で設定された設定内容を、第２のプレビュー表示画面に対応する設定内容ということにする。第２のプレビュー表示画面に対応する設定内容は、ＲＡＭ３内に設けられた図示しない第２の設定内容保存テーブルに記憶される。第２のプレビュー表示画面２００内の第２印刷ボタン２４１が押下げられると、第２のプレビュー表示画面に対応する設定内容を用いて、印刷処理が施される。
【００２５】
図３は、デジタル複写機による複写処理の手順を示している。
【００２６】
スタートキーが押下げられと（ステップＳ１）、原稿読み取りを１ページ分実行する（ステップＳ２）。そして、読み取った原稿を画像保存用メモリ６に保存した後（ステップＳ３）、次に読み取るべき原稿が存在しているか否かを判別する（ステップＳ４）。次に読み取るべき原稿が存在している場合には、ステップＳ２に戻る。
【００２７】
ステップＳ４において、次に読み取るべき原稿が存在していないと判別した場合には、ＬＣＤ８に第１のプレビュー表示画面１００および第２のプレビュー表示画面２００を表示させる（ステップＳ５）。この際、各プレビュー表示画面１００、２００に、画像保存用メモリ６に保存されている画像からユーザによって選択されたページの印刷イメージをプレビュー表示させる。なお、最初は、１ページ目の画像の印刷イメージがプレビュー画像として表示される。また、各プレビュー表示画面１００、２００のプレビュー画像表示部１１０、２１０には、対応する設定内容保存テーブルに保存されている設定内容に対応する出力イメージが表示される。また、各プレビュー表示画面１００、２００の設定内容変更用ボタン１２１、１２２、２２１、２２２は、対応する設定内容保存テーブルに保存されている設定内容に対応した状態で表示される。各設定内容保存テーブルの内容は、デフォルトでは同じである。
【００２８】
ＬＣＤ８にプレビュー表示画面１００、２００が表示されている状態においては、表示ページ変更用ボタン１１１〜１１３、２１１〜２１３をユーザが操作することによって、プレビュー表示されるページの切り替えが可能であるが、この処理については省略する。      
【００２９】
ＬＣＤ８にプレビュー表示画面１００、２００が表示されている状態においては、第１プレビュー表示画面１００に対応する設定変更操作が行なわれたか否か（ステップＳ６）、第２プレビュー表示画面２００に対応する設定変更操作が行なわれたか否か（ステップＳ７）、第１印刷ボタン１４１が押下げられたか否か（ステップＳ８）および第２印刷ボタン２４１が押下げられたか否か（ステップＳ９）、スタートキーが押下げられたか否か（ステップＳ１）を監視する。
【００３０】
第１プレビュー表示画面１００に対応する設定変更操作が行なわれた場合には（ステップＳ６でＹＥＳ）、第１の設定内容保存テーブルの内容を変更された設定内容に変更するとともに、第１プレビュー表示画面１００内のプレビュー画像表示部１１０にプレビュー表示されている出力イメージを、変更された設定内容に応じた出力イメージに変更する（ステップＳ１０）。そして、ステップＳ６に戻る。
【００３１】
第２プレビュー表示画面２００に対応する設定変更操作が行なわれた場合には（ステップＳ７でＹＥＳ）、第２の設定内容保存テーブルの内容を変更された設定内容に変更するとともに、第２プレビュー表示画面２００内のプレビュー画像表示部２１０に表示されている出力イメージを、変更された設定内容に応じた出力イメージに変更する（ステップＳ１１）。そして、ステップＳ６に戻る。
【００３２】
第１印刷ボタン１４１が押下げられた場合には（ステップＳ８でＹＥＳ）、第１印刷ボタン１４１が押されたことを明示するために第１印刷ボタン１４１を黒表示した後（ステップＳ１２）、第１の設定内容保存テーブルに保存されている設定内容で印刷処理を行なう（ステップＳ１３）。また、第２の設定内容保存テーブルの内容を、第１の設定内容保存テーブルの内容と同じ内容にする（ステップＳ１４）。そして、今回の複写処理を終了する。
【００３３】
第２印刷ボタン２４１が押下げられた場合には（ステップＳ９でＹＥＳ）、第２印刷ボタン２４１が押されたことを明示するために第２印刷ボタン２４１を黒表示した後（ステップＳ１５）、第２の設定内容保存テーブルに保存されている設定内容で印刷処理を行なう（ステップＳ１６）。また、第１の設定内容保存テーブルの内容を、第２の設定内容保存テーブルの内容と同じ内容にする（ステップＳ１７）。そして、今回の複写処理を終了する。
【００３４】
スタートキーか押下げられた場合には（ステップＳ１でＹＥＳ）、ステップＳ２以降の処理を行なう。
【００３５】
なお、複写処理が終了した後、一定時間が経過したときに、第１の設定内容保存テーブルおよび第２の設定内容保存テーブルの内容を、自動的にデフォルト値にするようにしてもよい。
【００３６】
上記実施例によれば、２種類の異なる設定内容に対応する出力イメージをプレビュー  表示することができるので、設定内容の違いによる出力イメージの差を認識しやすくなる。また、２種類のプレビュー表示画面１００、２００毎に印刷ボタン１４１、２４１を設けているので、２種類の異なる設定内容から印刷に用いるべきものを容易に選択できるようになる。一方の設定内容保存テーブルに保持されている設定内容に基づいて印刷処理を実行した際には、他方の設定内容保存テーブルの内容を、印刷処理に用いた設定内容の内容に変更しているので、連続して同じ原稿の画像データを用いて印刷を行なう場合、印刷処理に用いた設定内容を基準として設定変更を行なうことが可能となる。
【図面の簡単な説明】
【００３７】
【図１】デジタル複写機におけるプレビュー表示機能に関係する部分の構成を示すブロック図である。
【図２】ＬＣＤ８に表示されるプレビュー表示画面を示している。
【図３】デジタル複写機による複写処理の手順を示すフローチャートである。
【符号の説明】
【００３８】
１  ＣＰＵ
２  ＲＯＭ
３  ＲＡＭ
４  メッセージＲＯＭ
５  ＶＲＡＭ
６  画像保存用メモリ
７  ＬＣＤコントローラ
８  タッチパネル付きのＬＣＤ
【図１】
2008304709.tif 000003
【図２】
2008304709.tif 000004
【図３】
2008304709.tif 000005